(57)【要約】【課題】洗濯物の衣類の袖全体を乾き易くすると共に、衣類の着脱が容易であり、コンパクトに収納できるハンガーを提供する。【解決手段】中央部１に対し、両外端部５，５が夫々摺動自在に設けられ、且つ、両外端部５，５は夫々２つの部材６，６が摺動自在に連結されて構成され、各部材６，６を個別に摺動させることにより、両外端部５，５を夫々２段階に伸縮自在に形成されたハンガー本体２と、ハンガー本体２の中央部３を回転自在に吊下するフック部４とを備えたハンガー１を提供する。前記中央部３及び外端部５は夫々筒状体に形成されている。外端部５の夫々外端に、衣類等の袖を通しやすく、袖を傷めないように、なだらかな曲面を有する先端部７、又は、先端部材が回転自在に設けられ、先端部７、又は、先端部材には、外端部５の外端外周部から放射方向に突設する突設部分７ａ，７ａが形成されている。【選択図】図１
0003140496.tif 000002
【実用新案登録請求の範囲】
【請求項１】
中央部に対し、両外端部が夫々摺動自在に設けられ、且つ、前記両外端部は夫々複数の部材が摺動自在に連結されて構成され、各部材を個別に摺動させることにより、前記両外端部が夫々複数段階に伸縮自在に形成されたハンガー本体と、前記ハンガー本体の中央部を回転自在に吊下するフック部とを備えたことを特徴とするハンガー。
【請求項２】
中央部に対し、両外端部が夫々摺動自在に設けられていることにより伸縮自在に形成されたハンガー本体と、前記ハンガー本体の中央部を回転自在に吊下するフック部とを備えたハンガーであって、前記両外端部は付勢手段によって夫々前記中央部から離反する方向に付勢され、前記外端部は、前記付勢手段に抗して前記中央部内に収納された時、ハンガー本体の縮小状態を保持自在にするための保持手段を備えていることを特徴とするハンガー。
【請求項３】
前記両外端部は夫々複数の部材が摺動自在に連結されて構成され、各部材を個別に摺動させることにより前記ハンガー本体は、前記両外端部が夫々複数段階に伸縮自在であることを特徴とする請求項２記載のハンガー。
【請求項４】
前記外端部は２つの部材が摺動自在に連結されて構成され、各部材を個別に摺動させることにより前記ハンガー本体は、前記両外端部が夫々２段階に伸縮自在であることを特徴とする請求項１又は３記載のハンガー。
【請求項５】
前記中央部及び両外端部は夫々筒状体に形成されていることを特徴とする請求項１乃至４のうちいずれか一に記載のハンガー。
【請求項６】
前記外端部の夫々外端に、衣類等の袖を通しやすく、袖を傷めないように、なだらかな曲面を有する先端部が形成され、又は、先端部材が設けられていることを特徴とする請求項１乃至５のうちいずれか一に記載のハンガー。
【請求項７】
前記先端部、又は、先端部材には、前記外端部の外端外周部から放射方向に突設する突設部分が形成されていることを特徴とする請求項６記載のハンガー。
【請求項８】
前記先端部、又は、先端部材は、前記外端部の外端に回転自在に設けられていることを特徴とする請求項７記載のハンガー。
【考案の詳細な説明】
【技術分野】
【０００１】
本考案は、洗濯物の衣類の袖全体を乾き易くすると共に、衣類の着脱が容易であり、コンパクトに収納できるハンガーに関する。
【背景技術】
【０００２】
従来のハンガーは、横幅が衣類の肩幅の長さに形成されたものが多く、洗濯物の衣類を掛けた場合に、袖が肩部分から垂れ下がり、袖が乾きにくいという問題があった。
そこで、前記問題を解決するために、例えば、特許文献１に於いては、衣類の脇の下の乾燥を早めるための伸縮自在の洗濯ハンガーが記載されている。
具体的には、直線状に形成された本体パイプ内の左右部に伸縮パイプが収納自在に設けられ、ツマミの移動により、伸縮パイプが本体パイプの左右外側に押し出されるように構成された伸縮自在ハンガーが記載されている。
【特許文献１】特開２００５−２８８０８７号公報
【考案の開示】
【考案が解決しようとする課題】
【０００３】
前述したように、従来のハンガーは、横幅が衣類の肩幅の長さに合わせて形成されているため、洗濯物の衣類を掛けた場合に、袖が垂れ下がり、袖が乾きにくいという問題があった。
又、特許文献１に於いては、伸縮パイプを左右外側に押し出すことにより、衣類の脇の下の乾燥を早めることができる利点があるが、伸縮パイプは夫々左右１本の構成になっているため、伸張長さが比較的短く、衣類の袖全体を拡げることができず、袖全体の乾きを早めることはできないという問題がある。
【０００４】
或いは、特許文献１に於いて、袖全体を拡げることができるようにする場合、本体パイプ及び伸縮パイプの長さを夫々長くする必要があり、本体パイプ及び伸縮パイプを長くするとハンガーの縮小状態に於いても衣類を掛けにくいという問題が発生し、又、ハンガーの収納時にハンガーがコンパクトにならないという問題がある。
【０００５】
以上の現状に鑑み、本考案は、洗濯物の衣類の袖全体を乾き易くすると共に、衣類の着脱が容易であり、コンパクトに収納できるハンガーを提供することを目的とする。
【課題を解決するための手段】
【０００６】
上記の課題を解決すべく、本考案は以下の構成を提供する。
請求項１に係る考案は、中央部に対し、両外端部が夫々摺動自在に設けられ、且つ、前記両外端部は夫々複数の部材が摺動自在に連結されて構成され、各部材を個別に摺動させることにより、前記両外端部が夫々複数段階に伸縮自在に形成されたハンガー本体と、前記ハンガー本体の中央部を回転自在に吊下するフック部とを備えたことを特徴とするハンガーを提供するものである。
【０００７】
請求項２に係る考案は、中央部に対し、両外端部が夫々摺動自在に設けられていることにより伸縮自在に形成されたハンガー本体と、前記ハンガー本体の中央部を回転自在に吊下するフック部とを備えたハンガーであって、前記両外端部は付勢手段によって夫々前記中央部から離反する方向に付勢され、前記外端部は、前記付勢手段に抗して前記中央部内に収納された時、ハンガー本体の縮小状態を保持自在にするための保持手段を備えていることを特徴とするハンガーを提供するものである。
【０００８】
請求項３に係る考案は、前記両外端部は夫々複数の部材が摺動自在に連結されて構成され、各部材を個別に摺動させることにより前記ハンガー本体は、前記両外端部が夫々複数段階に伸縮自在であることを特徴とする請求項２記載のハンガーを提供するものである。
【０００９】
請求項４に係る考案は、前記外端部は２つの部材が摺動自在に連結されて構成され、各部材を個別に摺動させることにより前記ハンガー本体は、前記両外端部が夫々２段階に伸縮自在であることを特徴とする請求項１又は３記載のハンガーを提供するものである。
【００１０】
請求項５に係る考案は、前記中央部及び両外端部は夫々筒状体に形成されていることを特徴とする請求項１乃至４のうちいずれか一に記載のハンガーを提供するものである。
【００１１】
請求項６に係る考案は、前記外端部の夫々外端に、衣類等の袖を通しやすく、袖を傷めないように、なだらかな曲面を有する先端部が形成され、又は、先端部材が設けられていることを特徴とする請求項１乃至５のうちいずれか一に記載のハンガーを提供するものである。
【００１２】
請求項７に係る考案は、前記先端部、又は、先端部材には、前記外端部の外端外周部から放射方向に突設する突設部分が形成されていることを特徴とする請求項６記載のハンガーを提供するものである。
【００１３】
請求項８に係る考案は、前記先端部、又は、先端部材は、前記外端部の外端に回転自在に設けられていることを特徴とする請求項７記載のハンガーを提供するものである。
【考案の効果】
【００１４】
本考案の請求項１記載の考案によれば、洗濯物の衣類の袖全体を乾き易くすると共に、外端部が複数段階に伸縮自在であるので衣類の着脱が容易であり、衣類の袖の長さに合わせて複数段に伸張でき、コンパクトに収納できるハンガーを提供することができる。
【００１５】
請求項２記載の考案によれば、洗濯物の衣類の袖全体を乾き易くすると共に、自動的に伸張するため、伸縮が容易で使いやすいハンガーを提供することができる。
【００１６】
請求項３記載の考案によれば、請求項２記載の考案の効果に加え、外端部が複数段階に伸縮自在であるので、衣類の着脱が容易であり、衣類の袖の長さに合わせて複数段に伸張でき、且つ、コンパクトに収納できるハンガーを提供することができる。
【００１７】
請求項４記載の考案によれば、請求項１又は３記載の考案の効果に加え、外端部は２つの部材が摺動自在に連結されて構成されているので、衣類の袖の長さに合わせて左右夫々２段階に伸縮することができ、衣類の着脱が容易であり、且つ、コンパクトに収納できると共に、製作も比較的容易であるハンガーを提供することができる。
【００１８】
請求項５記載の考案によれば、請求項１乃至４のうちいずれか一に記載の考案の効果に加え、中央部及び両外端部は夫々筒状体に形成されるので、円滑な摺動が得られると共に、製作が容易である。
【００１９】
請求項６記載の考案によれば、請求項１乃至５のうちいずれか一に記載の考案の効果に加え、なだらかな曲面を有する先端部が形成され、又は、先端部材が設けられることによって、衣類等の袖を通しやすく、袖を傷めない利点がある。
【００２０】
請求項７記載の考案によれば、請求項６記載の考案の効果に加え、ハンガーの外端部を伸縮させる時に、突設部分を把持すれば、把持し易く、伸縮させることが容易である。
【００２１】
請求項８記載の考案によれば、請求項７記載の考案の効果に加え、先端部、又は、先端部材は、外端部の外端に回転自在に設けられているので、先端部、又は、先端部材を回転させて先端部、又は、先端部材の突設部分を上方に位置させれば、衣類の袖の上部を突設部分に係止させて保持することができ、衣類の袖部分、特に袖先部分がずり落ちない利点がある。又、前述の状態で、靴等を突設部分に係止させて干せば、靴が落下せず、且つ、靴内の水を円滑に落下させて、乾燥を早めることができる。
【考案を実施するための最良の形態】
【００２２】
以下、実施例を示した図面を参照しつつ本考案の実施の形態を説明する。
図１に於いて、１は本考案の第１実施例のハンガーを示し、ハンガー１は、伸縮自在に形成されたハンガー本体２と、ハンガー本体２の中央部３を回転自在に吊下するフック部４とを備えたものであり、ハンガー本体２は、中央部３に対し、両外端部５，５が夫々摺動自在に構成されている。
【００２３】
前記両外端部５，５は夫々複数の部材６，６…が摺動自在に連結されて構成されており、各部材６，６…を個別に摺動させることにより、ハンガー本体２の両外端部５，５を夫々複数段階の長さに伸縮させることができる。但し、製作が比較的容易である等の実用上の理由から、好適には、同図（ｃ）に示すように両外端部５，５は夫々２つの部材６，６が摺動自在に連結されて構成されており、同図（ｃ）及び（ｄ）に示す如く、各部材６，６を個別に摺動させることによりハンガー本体２は両外端部５，５を矢印で示すように夫々２段階に伸縮させることができる｛同図（ｃ）は、第２段伸張状態を示し、同図（ｄ）は第１段伸張状態を示している｝。
尚、前記両外端部５，５は夫々１つの部材６で形成することも可能である。
又、前記外端部５及び部材６が任意の段階の伸張状態にある時、その伸張状態を一定の力で保持できるように、保持機構（図示せず）を設けてもよい。例えば、保持機構として、外端部５及び部材６が伸張状態にある時、摺動間隙を少なくする等により摺動摩擦を高める構成、或いは、外端部５及び部材６が伸張状態にある時のみ、付勢されたピンや、係止部が突出するような構成が考えられる。尚、伸張状態を一定の力で保持する必要がない場合は、ハンガー本体２は、最縮小状態から最伸張状態の間の任意の長さに設定することが可能である。
【００２４】
中央部３及び両外端部５，５は夫々筒状体に形成されている。但し、筒状体に限定されるものではなく、前述の構成に用いて摺動自在に設けられるものであれば、他の形状に形成されていても良い。
【００２５】
両外端部５，５の夫々外端に、衣類等の袖を通しやすく、袖を傷めないように、なだらかな曲面を有する先端部７，７が形成されている。或いは、先端部７に代えて別部材としての先端部材（図示せず）が設けられても良い。
【００２６】
そして、前記先端部７，７、又は、先端部材には、両外端部５，５の外端外周部から放射方向（径方向）に突設する突設部分７ａ，７ａが形成されている。
【００２７】
更に、先端部７，７、又は、先端部材は、両外端部５，５の外端に外端部５の軸中心周りに回転自在に設けられ、先端部７，７、又は、先端部材を回転させて先端部７，７、又は、先端部材の突設部分７ａ．７ａを上方に位置させれば、衣類の袖を突設部分７ａ．７ａで係止させて保持することができるように構成されている｛図２（ｂ）参照｝。
【００２８】
図２（ａ）は、前記ハンガー１を用いて、洗濯物の衣類８を干した状態を例示している。
ハンガー１の両外端部５，５を伸張した状態で洗濯物の衣類８を干すと、伸張した両外端部５，５によって、衣類８の袖９，９が拡げられ、袖９，９全体及び脇の下部分が拡げられ、乾き易くなる。
【００２９】
尚、ハンガー１に衣類８を掛ける時は、ハンガー１の両外端部５，５を中央部３内に収納して、ハンガー本体２の長さを縮小した状態で、ハンガー本体２の先端部７，７、外端部５，５及び中央部３に洗濯物の衣類８の袖９，９を通し、先端部７，７の突設部分７ａ，７ａを把持して、夫々、中央部３から離反する方向に引いて、ハンガー本体２を伸張させ、伸張したハンガー本体２の両外端部５，５に衣類８の袖９，９を拡げる。
或いは、ハンガー本体２の先端部７，７、両外端部５，５及び中央部３に洗濯物の衣類８の袖９，９を通したら、衣類８の袖９，９の先端部分と共に先端部７，７の突設部分７ａ，７ａを把持し、夫々、中央部３から離反する方向に引いて、ハンガー１を伸張させ、伸張するハンガー本体２と共に、衣類８の袖９，９を拡げることもできる。
【００３０】
この時、同図（ｂ）の如く、先端部７，７を回転させて、先端部７，７の突設部分７ａ，７ａを上方に位置させれば、衣類８の袖９を突設部分７ａ，７ａに係止させて保持させることができる。
【００３１】
ハンガー１から衣類８を取り外す場合は、ハンガー本体２の先端部７，７を把持して、両外端部５，５を中央部３方向に押して、両外端部５，５を中央部３内に収納すれば、ハンガー１から衣類８を容易に取り外すことができる。
そして、ハンガー１を使用しない場合は、両外端部５，５を中央部３内に収納した状態、即ち、ハンガー本体２を縮小した状態にすれば、コンパクトに収納することができる。
【００３２】
図３に於いて、２１は本考案の第２実施例のハンガーを示し、ハンガー２１は、前記ハンガー（図１に於いて１）に於いて、両外端部５，５が付勢手段であるバネ２２によって夫々中央部３から離反する方向に付勢されたものである。
そして、両外端部５，５が、バネ２２に抗して中央部３内に収納された時、ハンガー本体２の縮小状態を保持するための保持手段であるピン２３，２３…を備えている。
ピン２３は、外端部５を構成する各部材６毎に放射方向（径方向）に向けて付勢されて設けられ、一方、中央部３の外周部には、外端部５が中央部３内に収納状態の時、ピン２３を放射方向に貫通状に突設させる貫通孔（図示せず）が開穿されており、ピン２３が貫通孔を貫通して突設すると部材６は中央部３に保持される。
【００３３】
尚、図３に於いて、貫通孔は、中央部３の下部に開穿されており、ピン２３は、下方に付勢されて突設するが、貫通孔は、中央部３の上部、又は、側部に開穿されても良く、その場合は、貫通孔に対応させて、ピン２３は、上方、又は、側方に付勢されて突設するように構成する。又、ピン２３は、バネ２２に干渉しないように取付ける。
更に、ハンガー２１に於いて、外端部５は、１乃至複数の部材６が摺動自在に連結され、各部材６を個別に摺動させることによりハンガー本体２の両外端部５，５は、夫々複数段階に伸縮自在に構成されている。但し、製作が比較的容易である等の実用上の理由から、外端部５は、２つの部材６，６が摺動自在に連結されている構成が好適である。
【００３４】
ハンガー本体２の縮小状態に於いて、両外端部５，５のピン２３，２３…は、放射方向に付勢されて夫々中央部３の外周面から放射方向に突出しており、この状態で、両外端部５，５の各部材６，６…は、ピン２３，２３…を介して中央部３に係止され、ハンガー本体２は縮小状態を保持している。
ハンガー本体２を伸張させる時はピン２３を中心方向に押し込むと、ピン２３と中央部３との係止が外れ、ピン２３が外れた部材６が中央部３から離反する方向に付勢されて摺動し、即ち、外端部５が摺動してその分ハンガー本体２が伸張する。
【００３５】
ハンガー本体２を縮小させる時は、ハンガー本体２の先端部７，７を把持して、両外端部５，５を中央部３方向に押して、両外端部５，５を中央部３内に収納すれば、収納位置に於いて、付勢されたピン２３が部材６から中央部３の貫通孔を突設して、部材６が中央部３に保持される。
【００３６】
ハンガー２１に洗濯物の衣類８を掛ける時は、ハンガー１の両外端部５，５を中央部３内に収納して、ハンガー本体２の長さを縮小した状態で、ハンガー本体２の先端部７，７、外端部５，５及び中央部３に衣類８の袖９を通し、ピン２３を押し込むことにより、ハンガー本体２を伸張させ、伸張したハンガー本体２の両外端部５，５に衣類８の袖９，９を拡げる。
この時、押し込むピン２３を選択すれば、ハンガー本体２の伸張段階を変えることができる。
【００３７】
又、この時、先端部７，７を回転させて、先端部７，７の突設部分７ａ，７ａを上方に位置させれば、前記ハンガー｛図２（ｂ）に於いて１｝と同様に、衣類８の袖９を突設部分７ａ，７ａに係止させて保持させることができる
【００３８】
ハンガー２１から衣類８を取り外す場合は、ハンガー本体２の先端部７，７を把持して、両外端部５，５を中央部３方向に押して、両外端部５，５を中央部３内に収納すれば、ピン２３，２３が、貫通孔から放射方向に突設し、両外端部５，５の各部材６，６…は、ピン２３，２３…を介して中央部３に係止され、ハンガー本体２は縮小状態を保持し、衣類８を容易に取り外すことができる。
【図面の簡単な説明】
【００３９】
【図１】（ａ）本考案の第１実施例による縮小状態のハンガーの正面図である。（ｂ）本考案の第１実施例による縮小状態のハンガーの側面図である。（ｃ）本考案の第１実施例による第２段伸張状態のハンガーの正面図である。（ｄ）本考案の第１実施例による第１段伸張状態のハンガーの正面図である。
【図２】（ａ）本考案の第１実施例によるハンガーを用いて、洗濯物の衣類を干した状態を示した正面図である。（ｂ）本考案の第１実施例によるハンガーを用い、ハンガーの突設部分を上方に位置させて洗濯物の衣類を干した状態を示した正面図である。
【図３】（ａ）本考案の第２実施例による縮小状態のハンガーの正面図である。（ｂ）本考案の第２実施例による伸張状態のハンガーの正面図である。
【符号の説明】
【００４０】
１，２１  ハンガー
２  ハンガー本体
３  中央部
４  フック部
５  外端部
６  部材
７  先端部
７ａ  突設部分
８  衣類
９  袖
【図１】
0003140496.tif 000003
【図２】
0003140496.tif 000004
【図３】
0003140496.tif 000005